(57)【要約】【課題】曲面に映像を投射表示する際、歪みのない映像表示を実現する表示装置を提供することにある。【解決手段】対象物までの距離を示す距離情報を出力する測定手段と、当該測定手段から得られる距離情報に基づき、曲面形状を精度良く検出し、検出した曲面形状に合わせて表示画像の画素配置を不均等に再配置させ、少なくとも曲面歪みに対応して補正した映像情報を出力するようにすることによって、曲面に映像を投射表示する際、歪みのない映像表示を実現する。【選択図】  図１
2010078534.tif 000002
【特許請求の範囲】
【請求項１】
光源と、
前記光源を駆動する光源駆動手段と、
前記光源からの照射光を反射して対象物に投射光として投射する反射ミラーと、
前記反射ミラーを非共振モードで振動するように駆動するミラー駆動手段と、
前記投射光が投射される対象物での位置の座標に対応するアドレス情報を前記ミラー駆動手段に入力するアドレス生成手段と、
少なくとも前記光源駆動手段、前記ミラー駆動手段、前記アドレス生成手段を制御する制御手段と
を有する表示装置において、
対象物までの距離を示す距離情報を出力する測定手段と、
少なくとも曲面歪みに対応して補正した映像情報を出力する曲面歪み補正手段と
を設け、
前記曲面歪み補正手段は、前記アドレス生成手段からの前記アドレス情報と、前記測定手段からの前記距離情報が入力された後に、補正した映像情報を前記光源駆動手段に出力し、
前記光源駆動手段に駆動された前記光源からの照射光が対象物に投射されることを特徴とする表示装置。
【請求項２】
請求項１記載の表示装置において、
前記測定手段は、
前記アドレス生成手段で指示された前記対象物上の任意の点に前記投射光が投射され、反射した後の反射光を得て反射光量を検出する光量検出手段と、
前記光量検出手段から出力される信号を演算する演算手段と
を有し、
前記演算手段が前記光量検出手段から出力される信号から、前記対象物上の前記アドレス生成手段で指示される点までの距離を演算して距離情報として出力することを特徴とする表示装置。
【請求項３】
請求項２に記載の表示装置において
前記対象物の表面の形状を判定する曲面形状判定手段と、
前記光量検出手段からの出力から反射率を示す反射率情報を出力させる反射率情報検出手段と
を設け、
前記アドレス生成手段からの前記アドレス情報と、
前記反射率情報検出手段からの反射率情報と、
前記演算手段からの距離情報と
から、
前記対象物の表面の歪情報を含む曲面情報と、
前記対象物の表面の凹凸情報と、
前記対象物の表面の反射率情報と、
を曲面形状判定手段が出力することを特徴とする表示装置。
【請求項４】
請求項３に記載の表示装置において
曲面形状判定手段から出力された前記曲面情報と前記凹凸情報と前記反射率情報が前記曲面歪み補正手段に入力され、
前記曲面歪み補正手段で補正した映像情報を表示することを特徴とする表示装置。
【請求項５】
請求項３に記載の表示装置において、
前記光源は、少なくとも３原色のR/G/B光を発光する光源を有し、
R/G/B成分毎にそれぞれ測定するように前記の各手段を構成し、
各光成分毎に、前記曲面形状判定手段から投射対象物の前記曲面情報と前記凹凸情報と前記反射率情報が出力され、
前記曲面情報、前記凹凸情報または反射率情報に基づき補正した映像を表示することを特徴とする表示装置。
【請求項６】
請求項５に記載の表示装置において、
前記曲面形状判定手段から出力された対象物の前記曲面情報、前記凹凸情報に対応させて前記映像情報の画素配置を水平方向或いは垂直方向に伸縮させる処理と、
反射率情報によって明暗の補正を行う処理と、
前記表示映像情報を生成する曲面歪み補正処理とを行う補正手段と
を設け、
前記映像情報を、前記対象物の形状に対応させて補正した映像信号とした後に、対象物に表示すること、
を特徴とする表示装置。
【請求項７】
請求項１記載の表示装置において、
前記測定手段は、
前記光源駆動手段の駆動開始のタイミングを指示する開始タイミング信号を生成する開始信号生成手段と、
少なくとも前記光源から出射された光の対象物からの反射光を検出する光量検出手段と、
前記光量検出手段からの検出信号を得て反射タイミング信号を生成する比較手段と、
基準クロック数を開始タイミング信号から計数するクロック計数手段と、
前記反射タイミング信号を計数することで前記反射光の反射回数nを計数する反復計数手段と、
前記反射タイミング信号のタイミングで前記クロック計数手段のクロック計数値を保持する保持手段と、
前記反復計数手段からの反復回数ｎと前記保持手段からのクロック計数値を元に距離を演算する演算手段と、
を有し、
駆動開始タイミング信号並びに反射タイミング信号で光源を駆動し、前記反射回数nと、前記クロック計数値と、基準クロックの周期から、対象物までの距離を示す距離情報を前記演算手段が出力すること、
を特徴とする表示装置。
【請求項８】
請求項７に記載の表示装置において、
前記測定手段の
前記演算手段では、以下の演算式に従って、距離Lを求めること
を特徴とする表示装置。
L＝（3x10^8）x（１/F）x（count(n)/ｎ）/2  ［ｍ］
F：基準クロックの周波数［Hz］
ｎ：反復回数
count(n)：クロック計数値(但し、反復回数ｎの間に計数されるクロックの回数値)
【請求項９】
請求項１乃至８に記載の表示装置において、
前記光源は、ビーム光に形成して、対象物に照射されるLED光源、レーザー光源であること、
を特徴とする表示装置。
【請求項１０】
請求項１乃至８に記載の表示装置において、
前記測定手段が距離を測定する際に、距離を測定する測距期間と時間を異ならせて測定を行い、
測定された距離情報に基づき、前記光源駆動手段を変調駆動することで、
映像情報を対象物に表示することを特徴とする表示装置。
【発明の詳細な説明】
【技術分野】
【０００１】
本発明は、振動する、ビーム光を当てて、対象物に投射表示する表示装置に関する。
【背景技術】
【０００２】
従来の投射装置は、投射レンズを用いて、映像をスクリーン等の被投射物である対象物に投射するものであった。
【０００３】
これに対して、MEMS素子とレーザー光を用いた表示装置が知られるようになり、文献文献１に開示されている。
【０００４】
また、従来、測距手法や装置が多く提案されており、光を用いた方法として、光パルス飛行時間計測法などが知られている。また、近年のMEMS（Micro Electro Mechanical Systems）技術や半導体レーザー技術の向上と、小型・低コスト化により、業務用途のみならず民生品へ展開も検討されている。
【０００５】
例えば、非特許文献１で計測精度の向上技術の紹介や、非特許文献２では、光パルス飛行時間計測法によるMEMSとレーザー光を用いた距離画像センサが紹介されている。
【０００６】
【非特許文献１】OMRON TECHNICS Vol.44 No.1（通巻149号）2004
【非特許文献２】http://www.signal.co.jp/vbc/mems/app/item01_1.html(日本信号株式会社)
【特許文献１】特開2006-343397号公報（第１０頁、第１図）
【発明の開示】
【発明が解決しようとする課題】
【０００７】
上記した特許文献１などに開示されているように、１軸或いは２軸で往復振動するMEMSミラーを用い、MEMSミラーで反射したビーム光を投射光として対象物に投射表示するようにした画像表示装置を構成することが可能となってきた。
【０００８】
この場合、近年の半導体技術の向上により、レーザー光源の出力エネルギーや電光変換の向上と、可視光内の発振波長の選択性向上が進み、画像表示装置を低コストでの色再現範囲の向上や高輝度化も容易になりつつある。
【０００９】
また、ビーム光であることから、何れの距離でも焦点が合った画像表示を得られる特徴が有り、平面形状のみならず、様々な凹凸形状を有する物に投射表示しても、焦点のあったボケのない画像を表示できる。
【００１０】
しかしながら、上記した特徴から、実際に凹凸形状の表面に投射表示すると、凹凸間の深度差により歪んだ表示画像となってしまう場合がある。これは、投射距離と共に投射映像が拡大表示される事等によるものである。
【００１１】
また、上記画像表示装置は、構造が簡単な事から小型化が容易であり、持ち運んで様々な所に投射表示が可能である。この為、投射対象は、凹凸形状に加え、表面の色あいや光沢等、様々ものが予想される。
【００１２】
本発明の目的は、上記画像装置の利用形態や利便性を向上するべく、曲面に映像を投射表示する際、曲面形状を精度良く検出し、検出した曲面形状（歪み）に合わせて表示画像の画素配置を不均等に再配置（歪み逆補正）させ、歪みのない映像表示を実現する表示装置を提供することにある。
【課題を解決するための手段】
【００１３】
本発明の表示装置を構成する為に、被投射物迄の距離や、形状を測定するようにする。
【００１４】
但し、被投射物が静止しており、距離が一定である場合は、距離などの測定を投射時に問題とならない精度で行えるものであれば良いと言えるが、例えば、被投射物が動的に変化する物である場合は、測定に要する時間を考慮する必要がある。
【００１５】
従って、この測定を高速に行える物とし、動的に変化する被投射物に対して、投射するのであっても、投射映像を正常な物として投射可能となるようにする。
【００１６】
この計測に用いる計測装置(若しくは、測定装置)は、開始信号生成手段による開始タイミングと、対象物からの反射光を検出する光量検出手段と大小比較手段で、反射光を検出した反射タイミングで、光源駆動手段により光源を駆動する。
【００１７】
さらに、基準クロック数を開始タイミングから計数するクロック計数手段と、計数手段による反射回数nと、各反射タイミングでのクロック計数値を得る。上記クロック計数値を反射回数nで平均化すると、反射タイミングから次の反射タイミングにおける、予め既知である回路の伝達遅延時間と、光速度と反射対象物までの距離に応じた光の移動時間とを示し、更に既知の回路伝搬遅延時間を除く事で光の移動時間すなわち反射対象物までの距離を求める。本反射回数の大小で平均値の精度すなわち距離の測量精度を定める。反射回数の大小別に、距離情報をそれぞれ出力する。
【００１８】
さらに、光量検出手段による反射光の強弱を保持し、この反射光の強弱情報により、対象物の光反射率を特定する。
【００１９】
本発明の第１の表示装置は、上記計測装置を有し、さらに、１軸或いは２軸で揺動する反射ミラーと、それを駆動する水平・垂直揺動駆動手段と、水平同期信号(Hsync)、垂直同期信号（Vsync）、表示Video信号とを得て、水平・垂直揺動駆動手段と、Video信号のPWM変調信号と、上記開始タイミングを制御するアドレス生成手段とを有し、光源からのビーム光は、反射ミラーを介して投射対象物に投射する。
【００２０】
一方、投射対象物を反射したビーム光成分が、上記光量検出手段に到達する。ここで、反射ミラーは２軸で揺動する為、ビーム光は投射対象物上に２次元ラスタ走査することから、光量検出手段には、投射対象物上の２次元ラスタ走査したそれぞれの地点（局所）のビーム光成分が反射してくる。
【００２１】
この構成において、計測装置として動作する時間と、単色の映像表示装置として動作する時間を分けて使用する。もちろん、表示用途とは別の波長成分の光源を用いて計測装置とする構成であれば、計測と映像表示を同時に行うようにしても良い。それぞれの局所における距離情報と反射率情報を生成する。
【００２２】
しかしながら、反射ミラーを映像表示に必要な速度で揺動すると、ビーム位置が時間経過とともに移動する為、上記反復回数ｎに制限が発生する。したがって、計測と映像表示を別々に実行することが望ましい。
【００２３】
本発明の第２の表示装置は、上記計測装置と表示装置を有し、さらに、光源がＲ／Ｇ／Ｂの３原色分から成るように構成する。これにより、３原色による映像表示はもちろん、計測装置とする時間には、Ｒ／Ｇ／Ｂそれぞれの光源を用いて距離計測並びに面反射率計測を成すものである。ここで、Ｒ／Ｇ／Ｂ光別に面反射率を評価するようにして、投射対象物の色情報を把握する構成である。
【００２４】
さらに、上記計測したそれぞれの局所における距離情報と反射率情報を得て、局所反射率確定手段と局所距離確定手段とから局所情報を確定し、曲面形状判定手段により、投射対象物上の投射位置を表す水平・垂直アドレスと局所情報を対応させることで、曲面形状を決定する。
【００２５】
一方、曲面歪み補正手段により、入力Ｖｉｄｅｏ信号の画素重心を、決定した曲面形状を用いて補正して表示Ｖｉｄｅｏ信号を生成する。
【００２６】
従来の投射装置では、投射レンズを用いる為、この投射レンズの投射映像が被投射物に合焦して結像するように合焦動作が必要であった。
【００２７】
しかしながら、上記表示装置では、例えば、レーザ光などのビーム光によって、映像を表示させるものであるので、従来の投射装置で行われていたような合焦動作を行わなくても、被投射物に投射映像を表示することが可能となる。
【００２８】
但し、被投射物が曲面であったり、凸凹した投射面を有する物であると、見かけ上で、観測される投射映像が歪んだり、ゆがんだりしたものとなることがある。
【００２９】
従って、上述したように、曲面歪み補正手段を用いて、被投射物迄の距離を測定した距離情報を用いて、映像情報を補正することによって、見かけ上で、観測される投射映像が歪んだり、ゆがんだりしないように補正するようにする。
【００３０】
上記では、歪み等を補正する手段を「曲面歪み補正手段」との名称としているが、当該曲面歪み補正手段は、曲面に限定されるものではなく、平面でない被投射物までの距離、形状の情報に基づき、投射映像が歪んだり、ゆがんだりしないように補正するものとする。
【００３１】
上記第１の表示装置によれば、映像表示装置を計測装置として転用できる。また、２点間の深度差からその面傾き情報を算出できることから、面傾きによる光反射量の補足も可能である。
【００３２】
上記第２の表示装置によれば、３原色の映像表示装置を計測装置として転用できる。さらに、測定した投射対象物の曲面情報を用いて、映像信号を重心補正して表示する事で、投射対象物の曲面情報に見合った映像表示を実現できる。さらに、Ｒ／Ｇ／Ｂ毎の反射率から、投射対象の色情報を判断でき、投射対象の色情報に合わせて映像信号を補正して投射することで、高画質化も容易である。
【００３３】
また、本発明の構成を以下に別の表現にて説明する。
【００３４】
光源と、前記光源を駆動する光源駆動手段と、前記光源からの照射光を反射して対象物に投射光として投射する反射ミラーと、前記反射ミラーを非共振モードで振動するように駆動するミラー駆動手段と、前記投射光が投射される対象物での位置の座標に対応するアドレス情報を前記ミラー駆動手段に入力するアドレス生成手段と、少なくとも前記光源駆動手段、前記ミラー駆動手段、前記アドレス生成手段を制御する制御手段とを有する表示装置において、対象物までの距離を示す距離情報を出力する測定手段と、少なくとも曲面歪みに対応して補正した映像情報を出力する曲面歪み補正手段とを設け、前記曲面歪み補正手段は、前記アドレス生成手段からの前記アドレス情報と、前記測定手段からの前記距離情報が入力された後に、補正した映像情報を前記光源駆動手段に出力し、前記光源駆動手段に駆動された前記光源からの照射光が対象物に投射されるようにする。
【００３５】
また、前記測定手段は、前記アドレス生成手段で指示された前記対象物上の任意の点に前記投射光が投射され、反射した後の反射光を得て反射光量を検出する光量検出手段と、前記光量検出手段から出力される信号を演算する演算手段と
を有し、前記演算手段が前記光量検出手段から出力される信号から、前記対象物上の前記アドレス生成手段で指示される点までの距離を演算して距離情報として出力するようにする。
【００３６】
また、前記対象物の表面の形状を判定する曲面形状判定手段と、前記光量検出手段からの出力から反射率を示す反射率情報を出力させる反射率情報検出手段とを設け、前記アドレス生成手段からの前記アドレス情報と、前記反射率情報検出手段からの反射率情報と、前記演算手段からの距離情報とから、前記対象物の表面の歪情報を含む曲面情報と、前記対象物の表面の凹凸情報と、前記対象物の表面の反射率情報とを曲面形状判定手段が出力するようにする。
【００３７】
また、曲面形状判定手段から出力された前記曲面情報と前記凹凸情報と前記反射率情報が前記曲面歪み補正手段に入力され、前記曲面歪み補正手段で補正した映像情報を表示するようにする。
【００３８】
また、前記光源は、少なくとも３原色のR/G/B光を発光する光源を有し、R/G/B成分毎にそれぞれ測定するように前記の各手段を構成し、各光成分毎に、前記曲面形状判定手段から投射対象物の前記曲面情報と前記凹凸情報と前記反射率情報が出力され、前記曲面情報、前記凹凸情報または反射率情報に基づき補正した映像を表示するようにする。
【００３９】
また、前記曲面形状判定手段から出力された対象物の前記曲面情報、前記凹凸情報に対応させて前記映像情報の画素配置を水平方向或いは垂直方向に伸縮させる処理と、反射率情報によって明暗の補正を行う処理と、前記表示映像情報を生成する曲面歪み補正処理とを行う補正手段とを設け、前記映像情報を、前記対象物の形状に対応させて補正した映像信号とした後に、対象物に表示するようにする。
【００４０】
また、前記測定手段は、前記光源駆動手段の駆動開始のタイミングを指示する開始タイミング信号を生成する開始信号生成手段と、少なくとも前記光源から出射された光の対象物からの反射光を検出する光量検出手段と、前記光量検出手段からの検出信号を得て反射タイミング信号を生成する比較手段と、基準クロック数を開始タイミング信号から計数するクロック計数手段と、前記反射タイミング信号を計数することで前記反射光の反射回数nを計数する反復計数手段と、前記反射タイミング信号のタイミングで前記クロック計数手段のクロック計数値を保持する保持手段と、前記反復計数手段からの反復回数ｎと前記保持手段からのクロック計数値を元に距離を演算する演算手段とを有し、駆動開始タイミング信号並びに反射タイミング信号で光源を駆動し、前記反射回数nと、前記クロック計数値と、基準クロックの周期から、対象物までの距離を示す距離情報を前記演算手段が出力するようにする。
【００４１】
また、前記測定手段の前記演算手段では、以下の演算式に従って、距離Lを求めるようにする。
【００４２】
L＝（3x10^8）x（１/F）x（count(n)/ｎ）/2  ［ｍ］
F：基準クロックの周波数［Hz］
ｎ：反復回数
count(n)：クロック計数値(但し、反復回数ｎの間に計数されるクロックの回数値)
また、前記光源は、ビーム光に形成して、対象物に照射されるLED光源、レーザー光源とする。
【００４３】
また、前記測定手段が距離を測定する際に、距離を測定する測距期間と時間を異ならせて測定を行い、測定された距離情報に基づき、前記光源駆動手段を変調駆動することで、映像情報を対象物に表示するようにする。
【００４４】
上記第１の測定装置は、光の移動時間すなわち反射対象物までの距離を求めることが出来る所謂、光飛行時間計測方法の一つである。しかしながら、本反射回数を増す事で、平均値の精度すなわち距離の測量精度向上が可能となる。すなわち、所望の測量精度に必要な分解性能を得る周波数に対し、十分低い周波数を基準クロックに用いても良い。廉価な回路システムで、高精度の測距を有する計測装置を構築できる。
【発明の効果】
【００４５】
本発明によれば、例えば、曲面に映像を投射表示する際、歪みのない映像表示を実現すること等が可能となり、上記画像装置の利用形態や利便性を向上することが出来るようになる。
【発明を実施するための最良の形態】
【００４６】
以下、本発明を添付の図面を用いて説明する。
【実施例１】
【００４７】
表示装置の実施例を説明するにあたり、先ず計測装置の実施例について、説明する。
【００４８】
図１は本発明の第１の実施例による計測装置を示すブロック図を示す。図２と３は、測定距離wと測定距離w+Δwにおけるタイミング図である。
【００４９】
図１で、１は開始信号start、２は基準クロックclock、３は開始信号生成部、４はクロック数計数部、５はタイミング信号加算部、６は光源駆動部、７は光源、８は複数から成る光量検出部、９はコリメートレンズ、１０と１０’は計測の対象物、１１は検出光量加算器、１２は信号増幅部AMP、１３は比較器、１４は反射光量サンプルホールド部、１５は反復回数計数部、１６はカウント値サンプルホールド部、１７は演算器、１８は反射量情報、１９、２０，２１はそれぞれ検出精度の異なる距離情報d_h,d_m,d_lである。そして、３７は制御部である中央制御装置(略称ＣＰＵ)であり、上記のそれぞれの構成部を制御するものである。以下、図４、図８、図９のＣＰＵ３７も同様に各図に記載された構成部、手段などを制御するものである。
【００５０】
その精度の差異を例示するならば、距離情報d_hは、距離情報の測定精度を高精度にて測定して得られた距離情報とする。次に、距離情報d_mは、距離情報の測定精度をd_hよりは、精度を低くした中精度にて測定して得られた距離情報とする。さらに次に、距離情報d_lは、距離情報の測定精度をd_mよりは、精度を低くした低精度にて測定して得られた距離情報とする。
【００５１】
これらの距離情報d_h,d_m,d_lは、上述のように距離の測定精度が異なるのであるが、距離の測定に要する期間、時間、反射光の反射回数が異なるものとなるので、対象物までの距離の大小、対象物の表面の状態、対象物における表示面の大きさの大小の違いによって、適宜、切替えて測定し、その距離情報を使用することが出来るものである。
（実施例の前提）
ここで、本実施例では、ビーム光且つ、高速で光量変調が容易なレーザー光源を光源に用いて説明する。もちろん、LED、超高圧水銀ランプ、無電極ランプの何れかを、ビーム状に集光させる光学部品や、光量の変調部品とともに用いても良いことは、言うまでもない。
【００５２】
光量検出部８を２個用いる構成で示しているが、もちろん、１個或いは複数であっても良い。また、説明の為、距離wを0.5m、Δwを1mm、基準クロックclockを300MHzとして示すが、もちろんこれ以外でも良い。また、本実施例の測距方法の原理は、一般的に知られる光パルス飛行法であり、原理については特に言及せず、実現方法を示す。
（実施例の動作説明）
開始信号生成部３では、図示しない外部より、開始信号start信号を得て、300MHzのclock信号の立ち上がり位相に同期し、スタートパルス信号SPを生成する。スタートパルス信号spのパルス幅は、光が距離wを往復する飛行時間Twより十分に短い時間であれば良い。本実施例のw=0.5mであれば、往復1mに要する飛行時間Twは、光速3.0x10^8[ｍ/ｓ]から、約3.3nsec以下であれば良い。
【００５３】
クロック数計数部４では、スタートパルス信号spをclear信号とした初期化処理並びに、clockの立ち上がりを計数countする。
【００５４】
タイミング信号加算部５では、スタートパルス信号spのパルスタイミングと、後述の反射パルスから生成した反復パルス信号detectのパルスタイミングとを加算して、加算パルス信号mpを生成する。
【００５５】
光源駆動部６では、加算パルス信号mpのパルスタイミングで、レーザー素子の光源７をパルス発振させる。平行光の出力光となるように必要に応じてコリメートレンズ９を付加しても良い。これにより、パルス光は、距離wの先にある対象物10を反射して複数から成る光量検出部８に戻る。ここで、光量検出部８は、光源７の波長成分のみ受光するよう弁別性を有する構成として、反射光とは無関係な光成分を受光して誤動作することを防ぐようにしても良い。
【００５６】
検出光量加算器１１と信号増幅部AMP１２では、単体或いは複数の光量検出部８の出力値を加算並びに信号増幅する。これにより、反射光の方向性から、各々の光量検出部８の検出結果が異なっても、何れかで捉える様、機能するものである。
【００５７】
比較器１３にて、信号増幅結果を大小比較して、反射光が有るタイミングで、反復パルス信号detectを出力する。同時に、反射光量サンプルホールド部１４で信号増幅結果を保持する。
【００５８】
反復回数計数部１５では、スタートパルス信号spをclear信号とした初期化処理並びに、反復パルス信号detectの立ち上がりを計数し、反復回数nを得る。さらに、カウント値サンプルホールド部１６で、反復パルス信号detectの立ち上がりタイミングの、上記クロック計数count値をサンプルcount(n)し、保持する。
【００５９】
演算器１７で、クロック計数count(n)値を反射回数nで平均化したものは、反射タイミングから次の反射タイミングにおける、予め既知である回路の伝達遅延時間と、光速度と反射対象物までの距離に応じた光の移動時間とを示し、更に既知の回路伝搬遅延時間を除く事で光の移動時間すなわち反射対象物までの距離wが求まる。ここで、反復回数nが多いほど、距離検出精度が得られる為、反復回数nの大中小で検出精度を定め距離情報d_h,d_m,d_lを得る。
【００６０】
さらに、反射光量サンプルホールド部１４の信号増幅結果は、光量検出手段による反射光の強弱、すなわち、対象物の光反射率を反射量情報１８として特定する。
【００６１】
なお、前記反射光量サンプルホールド部１４は、反射率情報検出手段と呼ぶものとし、また、反射量情報１８を反射率情報と呼ぶものとしても良い。
【００６２】
次に、図２、３を用いて、上記した構成を詳述する。図２は距離w=0.5m時の各部位でのタイミング図である。ここで、説明を単純化するため、各回路素子は伝搬時間を0時間の理想条件で動作する場合を示す。
【００６３】
往復距離は2w=1m、往復時間（光パルス飛行時間）Twは1/(3x10^8)秒であり、基準クロック300MHzの周期に一致することから、基準クロックと一致した加算パルス信号mpとなる。すなわち、反復回数nとクロック計数count(n)は、反復回数ｎの大小に係わらず、一致するよう動作する。ｎ回反復で、反復時間はTwとnの積を示すTw x nである。
【００６４】
従って、上記反復パルス信号detectの立ち上がりを計数して得られる1000回反復に要する時間は、Twの1/(3x10^8)秒(即ち、約3.33ｎsec)にｎとして1000回の積であり、約3.33μsecとなる。
【００６５】
一方、図３に距離w+Δwにある対象物10'の場合を示す。光パルス飛行時間は距離Δw増加したTΔw分、増加する。例えば、Δw=0.5mm時では、3.33psecであり、1000回反復により、累積時間が3.33nsec所謂1clock分の増加に相当する。つまり、1000回反復時のクロック計数値は1001回と成る。
【００６６】
同様に、Δw=1.0mm時は、クロック計数値は1002回である。一方、Δw=-0.5mm時、同999回である。よって、1000回反復時は、±0.5mmの精度にて、距離Δwを測距できる。2000回であれば、±0.25mm精度である。逆に、反復回数を減じると、500回では±1.0mm精度、10回で±50.0mm精度となる。
【００６７】
これらについて、念のため記載すると、上記反復パルス信号detectの立ち上がりを計数して得られる1000回反復に要する時間は、Tw＋TΔwの約3.33ｎsec＋3.33psecにｎとして1000回の積であり、約3.33333μsecとなる。
【００６８】
よって、距離w=0.5m時の1000回反復に対して、距離w+Δw時の1000回反復に要する時間は、約3.33psecの1000回分の累積時間である3.33nsec増加し、これは、基準クロック300MHzの1clock分の増加に相当することになる。
【００６９】
このことから、例えば、反復回数1000として、未知の距離に位置する対象物からのクロック計数count(n)が求められれば、未知の距離L［ｍ］は、以下の式にて求まることになる。
【００７０】
L＝（3x10^8）x（１/（300x10^6））x（count(n)/1000）/2  ［ｍ］
上式からも、距離の測定の精度を更に向上させるには、count(n)計数の精度を上げることがあげられ、その為には、反復回数を1000よりも更に大きくすることで、得られることが判る。
【００７１】
また、上式は、基準クロックが300MHzであることが前提であることに注意する必要がある。従って、基準クロックを上げることで、測定の精度を向上させることができ、その場合は、上式の（１/（300x10^6））の値を適宜変えることで、対応出来ることになる。
【００７２】
以上、本実施例では、クロック周波数や距離、遅延の無い理想的な回路に限定して示したが、もちろんこれに限らず、予め既知である回路遅延が反復回数分だけ反復時間に加味して、クロック数を換算することで対応できる。また、反復回数の増減や、測定距離との組合せで、用いる基準クロックの周波数を最適化するようにしても良い。
（実施例１の効果）
上記した本発明の第1の実施例による計測装置は、光の移動時間すなわち対象物までの距離を求めることが出来る所謂、光飛行時間計測方法の一つである。しかしながら、本反射回数を増す事で、平均値の精度すなわち距離の測量精度向上が可能となる。
【００７３】
すなわち、所望の測量精度に必要な分解性能を得る周波数に対し、十分低い周波数を基準クロックに用いても良い。廉価な回路システムで、高精度の測距を有する計測装置を構築できる。
【実施例２】
【００７４】
図４は、本発明の第２の実施例による表示装置を示すブロック図である。
【００７５】
図４で、２２は水平同期信号(Hsync)、２３は垂直同期信号（Vsync）、２４は表示Video信号、２５は画素アドレス生成部、２６は水平・垂直揺動駆動部、２７は水平揺動部からなる反射ミラー、２８は垂直揺動部、２９は投射対象物である。
【００７６】
図5は、光源７のビーム光が２軸で振動する反射ミラー２７を反射したビーム状の光束が投射対称２９上を移動する軌跡の状態と、反射して光量検出部８に戻る状態の一例を示す。３０はビーム光の軌跡、３１は有効表示領域である。
【００７７】
図６と図７は、距離wと距離w+Δw時の動作タイミング図を示す。
【００７８】
本実施例では、反射ミラー２７の形状や、１軸、２軸などの構成やミラー動作方式等に言及するものでは無い。説明を簡単にするために、本実施例では、反射ミラー２７として、２軸で四角の微小ミラーが振動（揺動）するパネルに限定して示す。もちろん、他の構成で有っても良い。また、反射ミラー２７は公知の技術を用いた駆動方式であり、特に言及しない。尚、第1の実施例で示した同一符号の部位は、同一動作を成す物であり、説明の重複をさける。
【００７９】
アドレス生成部２５では、水平同期信号(Hsync)２２と、垂直同期信号（Vsync）２３と、後述の図９で示す構成にて生成する表示Video信号２４と、反射ミラー２７の水平揺動の基準タイミングHstartとを得て、反射ミラー２７の水平揺動アドレスHaddと垂直揺動アドレスVaddを生成、並びに表示Video信号の階調数の変調信号VideoPWMを生成する。
【００８０】
また、測距時には、開始タイミング信号startを出力する。尚、変調信号VideoPWMは、第１の実施例で示した測距期間とは、時間を分けて付加するよう動作する。第１の実施例との違いは、光量検出部８での検出対象が、光源７のビーム光の内、反射ミラー２７を介して投射対象物２９へ到達し反射したビーム光成分である点である。
【００８１】
ここで、反射ミラー２７の振動方向と、ビーム光のスキャン軌跡３０との関係として、上下方向の振動をV振動、左右方向の振動をH振動と定めて説明する。また、H振動は共振モード、V振動は移動期間と保持期間で成る非共振モードで揺動動作し、H振動はV振動に比べ十分早く動作するものである。例えば、VGA（640画素x480ライン）画像相当を60Hzの更新速度で表示する際、H振動は15kHz以上、V振動は30Hz以上となる関係にあり、V振動の半周期で、H振動が250回以上発生する。
【００８２】
本実施例では、説明を簡単にするために、H振動が2.5回発生する場合で示す。また、図中のビーム光のスキャン軌跡１６には、基準振動で動作する際の時間スケールとして、V振動にはLine_0,Line_1,Line_2 Line_3,Line_4、H振動にはh0,h1,h2,h3,h4を併記する。もちろん、H振動は非共振モードであっても良い。
【００８３】
投射対象物２９上をビーム光がスキャンする際、表面の傾きや、凹凸形状により、スキャン位置によって、投射距離すなわち光ビームの飛行時間が異なる。
【００８４】
例えば、投射対象物２９の表面中央（Line_2,h2）をスキャン時taでは、距離w（=1m）。一方、投射面の端（Line_4,h3）をスキャン時tbでは、距離w+Δw(=1m+1mm)となる場合、図６，７で示すように、第１の実施例で示した図２，３と同一の関係で説明ができる。
【００８５】
ただし、本実施例の場合、ビーム光と被投射物である投射対象２９との角度や反射率の関係により、反射光の方向や反射量が区々であり、強いては、光量検出部８での検出が不能になる状態もあり得る。この為、測距時は、反射が確保できる素材を投射対象２９に覆って対処しても良い。
【００８６】
また、測距時は、水平揺動を非共振モードとすることで、各スキャン位置でビーム光の投射位置を固定して計測しても良い。もちろん、共振モードで有っても良いが、この場合、各スキャン位置でビーム光の反射回数の限定すなわち測定精度を犠牲にするものである。例えば、距離w時で300MHzの基準クロックclockと、１画素のスキャン時間(1/30MHz)の場合、各画素10回の反復測定すなわち±50.0mm精度を確保できる。
【００８７】
図９に、画像歪み補正のブロック図を示す。３２は入力Video信号の入力端子、３３は局所反射率確定部、３４は局所距離確定部、３５は曲面形状判定部、３６は曲面歪み補正部である。
【００８８】
局所反射率確定部３３と、局所距離確定部３４並びに曲面形状判定部３５にて、上記処理により得られる、投射対象２９のそれぞれの位置での反射量情報１８と距離情報d_h,d_m,d_lを得て確定し、水平揺動アドレスHaddと垂直揺動アドレスVaddから投射対象２９の座標を定めて登録することで、表面形状の凹凸や曲面情報、反射率を決定する。さらに、曲面歪み補正部３６で曲面情報と反射率にて、入力Video信号の画素配置を再配分並びに信号振幅補正して、曲面歪みの逆補正により表示Video信号２４を生成する。
【００８９】
ここで、画像の歪み補正処理は、公知の技術で対応するものであり、特に言及しない。
（第２の実施例の効果）
本実施例によれば、映像表示装置を測距並びに反射率の計測装置として転用できる。これにより、投射対象２９の凹凸関係や曲面情報（歪み情報）を計測でき、且つ、入力Video信号を、曲面情報で逆補正して得た表示Video信号を用いて投射対象２９に投射すると、曲面凹凸に合わせた表示で、歪みのない映像が再現できる。さらに、反射率のムラがあっても、ビーム光の強弱で逆補正することで、均等な輝度を確保できる。また、２点間の深度差からその面傾き情報を算出できることから、面傾きによる光反射量の補足も可能である。
【実施例３】
【００９０】
（第３の表示装置）
図８は、本発明の第３の実施例による表示装置を示すブロック図である。
図８で、本発明の第１と２の実施例で示した計測装置と表示装置から成るものであり、さらに、光源７が少なくともR/G/Bの３原色分有し、光源駆動部６は、R/G/Bそれぞれの光源７を、上記と同様な駆動方法で、独立或いは同時に駆動する。図９は、上記第２の実施例と同一である。但し光量検出部８は、光の強弱に加え、R/G/B光成分を分別して検出する様に構成する。もちろん、光の強弱のみでも良い。
（第３の実施例の効果）
以上示した第３の実施例の表示装置によれば、R/G/B光成分で、投射対象２９の凹凸情報に加え、各光成分毎の反射率すなわち、投射対象２９の色情報の計測が可能となる。さらに、光量検出部８の色弁別性により、R/G/B光で同時にかつ、独立に測距可能であることから、反復回数ｎであっても、検出精度が３倍に向上可能となる。また、投射対象２９の表面色に合わせて、表示Video信号の色配分を最適化することで、色の強弱補正が可能であり、例えば、色むらのある表面でも白色表示が可能となる。
【００９１】
また、測距と色むら測定は、映像表示期間と時間を異ならしめて、随時可能であることから、随時投射対象２９の形状を把握並びに、逆補正して表示するようにできる。これは、表示装置本体の移動に加え、投射対象２９が動いた場合であっても、直ぐ様、変化した曲面形状に合わせた表示ができる。さらに、加速度センサ等の動き検出器を表示装置に付加して、全体が動いたことを検出して、測距動作を行うように構成しても良い。
【００９２】
これにより、表示装置や、投射対象２９を動かしても、変化した曲面形状を認識並びに逆補正した映像表示が可能となる。
【００９３】
上術した実施例は、LEDやレーザー光源を用いた背面投射或いは前面投射型の画像表示装置や、被写体の距離情報を用いて撮像するカメラ装置に適用できる。
【００９４】
また、MEMS技術を用いて、投射表示するものであってもよいが、これに限定されるものではない。例えば、光源からの照射光を対象物に所謂点として投射する構成を設け、その点の座標に対応するアドレスを前記アドレス生成手段によって、走査、駆動することで、表示面として表示するものであっても良い。その例としては、前記光源の照射光を光ファイバーに導き、対象物に投射するようにし、当該光ファイバーを走査、駆動させて表示面とするものなどが上げられる。
【図面の簡単な説明】
【００９５】
【図１】本発明による第１の実施例の計測装置を示す構成図である。
【図２】本発明による第１の実施例を補足するタイミング図である。
【図３】本発明による第１の実施例を補足するタイミング図である。
【図４】本発明による第２の実施例の計測装置とそれを用いた表示装置を示す構成図である。
【図５】本発明による第２の実施例の動作を補足する構成図である。
【図６】本発明による第２の実施例を補足するタイミング図である。
【図７】本発明による第２の実施例を補足するタイミング図である。
【図８】本発明による第３の実施例の計測装置とそれを用いた表示装置を示す構成図である。
【図９】本発明による第３の実施例を補足する構成図である。
【符号の説明】
【００９６】
１…開始信号、２…基準クロック、３…開始信号生成部、４…クロック数計数部、５…タイミング信号加算部、６…光源駆動部、７…光源、８…光量検出部、９…コリメートレンズ、１０…対象物、１１…検出光量加算器、１２…信号増幅部（AMP））））、１３…比較器、１４…反射光量サンプルホールド部、１５…反復回数計数部、１６…カウント値サンプルホールド部、１７…演算器、１８…反射量情報、１９…距離情報d_h、２０…距離情報d_m、２１…距離情報d_l、２２…水平同期信号(Hsync)、２３…垂直同期信号（Vsync）、２４…表示Video信号、２５…画素アドレス生成部、２６…水平・垂直揺動駆動部、２７…水平揺動部からなる反射ミラー、２８…垂直揺動部、２９…投射対象物、３０…ビーム光の軌跡、３１…有効表示領域、３２…入力Video信号、３３…局所反射率確定部、３４…局所距離確定部、３５…曲面形状判定部、３６…曲面歪み補正部、３７…CPU。
【図１】
2010078534.tif 000003
【図２】
2010078534.tif 000004
【図３】
2010078534.tif 000005
【図４】
2010078534.tif 000006
【図５】
2010078534.tif 000007
【図６】
2010078534.tif 000008
【図７】
2010078534.tif 000009
【図８】
2010078534.tif 000010
【図９】
2010078534.tif 000011